(57)【要約】【課題】情報端末の表示画面を有効利用することができる画像処理装置を提供することを目的とする。【解決手段】情報端末と前記情報端末から操作可能な共有画面を表示する表示装置とに接続される画像処理装置であって、前記情報端末を識別するための端末情報を前記情報端末より取得する取得手段と、前記端末情報を管理する端末情報管理手段と、前記端末情報に基づいて前記情報端末へ表示する画像を変換する変換手段と、前記変換手段において変換された画像を前記情報端末へ表示する端末画面表示手段と、を有することを特徴とする。【選択図】  図７
2008310443.tif 000002
【特許請求の範囲】
【請求項１】
情報端末と前記情報端末から操作可能な共有画面を表示する表示装置とに接続される画像処理装置であって、
前記情報端末を識別するための端末情報を前記情報端末より取得する取得手段と、
前記端末情報を管理する端末情報管理手段と、
前記端末情報に基づいて前記情報端末へ表示する画像を変換する変換手段と、
前記変換手段において変換された画像を前記情報端末へ表示する端末画面表示手段と、を有することを特徴とする画像処理装置。
【請求項２】
第一の情報端末が接続中に第二の情報端末から接続、切断又は画像配信要求の何れかが行われたとき、
前記端末情報管理手段において前記第一の情報端末と前記第二の情報端末との使用者が同一であると判断された場合に、前記変換手段は、前記第一の情報端末又は前記第二の情報端末へ表示する画像を変換することを特徴とする請求項１に記載の画像処理装置。
【請求項３】
前記端末情報は、前記情報端末の使用者識別子、前記情報端末の機器情報、及び前記情報端末の表示装置の解像度を含むことを特徴とする請求項１又は２に記載の画像処理装置。
【請求項４】
前記端末情報管理手段は、前記情報端末の機器情報及び表示能力に応じた共有画面を操作するための操作画面フォーマットを備え、
前記変換手段は、前記操作画面フォーマットに基づき、前記情報端末へ表示させる画像を変換することを特徴とする請求項１乃至３の何れか１項に記載の画像処理装置。
【請求項５】
情報端末と前記情報端末から操作可能な共有画面を表示する表示装置とに接続される画像処理装置における画像処理方法であって、
前記情報端末を識別するための端末情報を前記情報端末より取得する取得ステップと、
前記端末情報を管理する端末情報管理ステップと、
前記端末情報に基づいて前記情報端末へ表示する画像を変換する変換ステップと、
前記変換ステップにおいて変換された画像を前記情報端末へ表示する端末画面表示ステップと、を有することを特徴とする画像処理方法。
【請求項６】
第一の情報端末が接続中に第二の情報端末から接続、切断又は画像配信要求の何れかが行われたとき、
前記第一の情報端末と前記第二の情報端末との使用者が同一であると判断された場合に、前記変換ステップでは、前記第一の情報端末又は前記第二の情報端末へ表示する画像を変換することを特徴とする請求項５に記載の画像処理方法。
【請求項７】
前記端末情報は、前記情報端末の使用者識別子、前記情報端末の機器情報、及び前記情報端末の表示装置の解像度を含むことを特徴とする請求項５又は６に記載の画像処理方法。
【請求項８】
前記変換ステップでは、前記情報端末の機器情報及び表示能力に応じた共有画面を操作するための操作画面フォーマットに基づき、前記情報端末へ表示させる画像を変換することを特徴とする請求項５乃至７の何れか１項に記載の画像処理方法。
【請求項９】
情報端末と前記情報端末から操作可能な共有画面を表示する表示装置とに接続される画像処理装置を制御するプログラムであって、
前記情報端末を識別するための端末情報を前記情報端末より取得する取得ステップと、
前記端末情報を管理する端末情報管理ステップと、
前記端末情報に基づいて前記情報端末へ表示する画像を変換する変換ステップと、
前記変換ステップにおいて変換された画像を前記情報端末へ表示する端末画面表示ステップと、をコンピュータに実行させるためのプログラム。
【請求項１０】
第一の情報端末が接続中に第二の情報端末から接続、切断又は画像配信要求の何れかが行われたとき、
前記第一の情報端末と前記第二の情報端末との使用者が同一であると判断された場合に、前記変換ステップでは、前記第一の情報端末又は前記第二の情報端末へ表示する画像を変換することを特徴とする請求項９に記載のプログラム。
【請求項１１】
前記端末情報は、前記情報端末の使用者識別子、前記情報端末の機器情報、及び前記情報端末の表示装置の解像度を含むことを特徴とする請求項９又は１０に記載のプログラム。
【請求項１２】
前記変換ステップでは、前記情報端末の機器情報及び表示能力に応じた共有画面を操作するための操作画面フォーマットに基づき、前記情報端末へ表示させる画像を変換することを特徴とする請求項９乃至１１の何れか１項に記載のプログラム。
【請求項１３】
請求項９乃至１２の何れか１項に記載のプログラムを記録したコンピュータ読取可能な記録媒体。
【請求項１４】
前記記録媒体は、フロッピー（登録商標）ディスク、ハードディスク、光磁気ディスク、光ディスク、ＣＤ−ＲＯＭ、ＣＤ−Ｒ、ＤＶＤ−ＲＯＭ、ＤＶＤ−Ｒ、磁気テープ、不揮発性のメモリカード及びＲＯＭのいずれか１つを含むことを特徴とする請求項１３に記載の記録媒体。
【発明の詳細な説明】
【技術分野】
【０００１】
本発明は、情報端末と前記情報端末から操作可能な共有画面を表示する表示装置とに接続される画像処理装置、画像処理方法、プログラム及び記録媒体に関する。
【背景技術】
【０００２】
近年のネットワークの発展に伴い、コンピュータシステムを利用した電子会議システムが普及してきている。特に、プラズマディスプレイを始め、リアプロジェクションディスプレイ、フロントプロジェクタ等の大型表示装置を利用した電子会議システム等では、大画面表示装置を会議参加者の共有表示装置として利用している。また、単なる表示装置としての用途の他に電子ホワイトボード等、電子描画装置としての使われ方も増えてきている。
【０００３】
このような電子会議システムは、１台のＰＣに大画面表示装置を接続し、会議参加者が画面に表示された情報を共有、編集する形態のものである。共有画面への入力端末としては有線又は無線のマウス、キーボード、タブレット、画面上で直接座標入力が可能なデジタイザ等が使用されている。一方、ＮｏｔｅＰＣ、ＰＤＡ（Ｐｅｒｓｏｎａｌ Ｄｉｇｉｔａｌ Ａｓｓｉｓｔａｎｔｓ）等の情報端末機器も普及してきており、両者を組み合わせた電子会議システムも見受けられる。これらの多くの情報端末は無線又は有線のインタフェースを持ち、表示装置を持つものであればその多くは液晶表示画面を持つ。データの入力方法としてはペンによるタブレット式の入力装置やキーボードなどの入力装置を備えており、そのため前述の電子会議システムの共有画面を操作するための入力端末としても使用することができる。
【０００４】
例えば、特許文献１に開示された電子ボードシステムでは、共有画面と情報端末との間で互いに書き込んだ情報、表示している情報等の送受信を行い相互に同じ内容を表示できるようにして作業性を向上させるという技術が開示されている。このような共有画面表示装置と接続された情報端末の入力装置を用いることで、情報端末からマウスカーソルの移動座標及びマウスのクリック情報、操作コマンド情報等を共有画面表示装置へ送ることができる。共有画面表示装置側では、情報端末から送られてきたイベント情報に準じて共有画面表示装置でイベントを発生させることにより、情報端末から共有画面表示装置の操作が可能となり、会議やプレゼンテーション等の場で効果を発揮する。
【０００５】
【特許文献１】特開平０８−１７１４５５号公報
【発明の開示】
【発明が解決しようとする課題】
【０００６】
しかしながら、近年の情報端末の普及により、一人が複数の情報端末を持つことが多くなり、従来の共有画面を情報端末へ表示させる場合において、複数の情報端末に同様の画像又は同様の機能をもつ操作画面を表示されてしまっていた。一方、共有画面へのアクセス権の判断を情報端末からのアカウントとパスワードの送信により制御する会議システムがある。しかし、同一アカウントで異なる情報端末から共有画面へのアクセス要求がある場合、従来のシステムでは同一アカウントからの同時アクセスを禁止するか、同一アカウントの情報端末の表示画面で同様の操作画面を表示させていた。
【０００７】
また、共有画面に表示された画像を情報端末等に表示させ共有画面を操作する場合においては、情報端末は表示装置の解像度、キーボードの有無やタブレットの有無等、機器毎に構成が異なる。例えばタブレットのある情報端末では描画が入力しやすく、キーボードのある情報端末では文字入力がしやすいといったことが考えられるが、入力デバイスの異なる情報端末においても同様の操作画面を表示させていた。
【０００８】
このように、ある会議システム利用者が共有画面を操作可能な複数の情報端末を保持していた場合でも有効利用することができなかった。本発明は上記のような問題点を鑑みてなされたもので、情報端末の表示画面を有効利用することができるようにすることを目的とする。
【課題を解決するための手段】
【０００９】
本発明の画像処理装置は、情報端末と前記情報端末から操作可能な共有画面を表示する表示装置とに接続される画像処理装置であって、前記情報端末を識別するための端末情報を前記情報端末より取得する取得手段と、前記端末情報を管理する端末情報管理手段と、前記端末情報に基づいて前記情報端末へ表示する画像を変換する変換手段と、前記変換手段において変換された画像を前記情報端末へ表示する端末画面表示手段と、を有することを特徴とする。
【発明の効果】
【００１０】
本発明によれば、共有画面操作に最適な画面構成を情報端末毎に割り当てることができる。また、共有画面をより大きく情報端末へ表示できるため情報端末の表示画面及び情報端末特有の入力デバイスを有効利用することができる。
【発明を実施するための最良の形態】
【００１１】
以下、本発明の実施形態について図面を参照して詳細に説明する。
（第１の実施形態）
図１は、本発明の実施形態に係る画像処理装置を含む会議システムの全体構成を示すブロック図である。図１において、会議システムは、共有画面を表示するためのディスプレイからなる表示装置１０１と、表示装置１０１に接続されるコンピュータ等の画像処理装置１２０と、携帯型情報端末（以下、単に情報端末という）２００と、を含んで構成される。ここで、情報端末２００は、例えばＰＤＡ（Ｐｅｒｓｏｎａｌ Ｄｉｇｉｔａｌ Ａｓｓｉｓｔａｎｔ）である。また、画像処理装置１２０と、情報端末２００とは、ＬＡＮ等のネットワーク１３０を介して接続されている。
【００１２】
画像処理装置１２０は、表示制御部１０２と、制御部１０３と、記憶部１０４と、端末情報管理部１０５と、変換部１０６と、端末画面表示部１０７と、ネットワークインタフェース部１０８と、を含んで構成される。表示制御部１０２は、表示装置１０１に表示される画像を制御する。制御部１０３は、ＣＰＵやＭＰＵ等から成り、画像処理装置１２０の各部の制御を行う。記憶部１０４は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等であり、端末情報や端末情報テーブル等を記憶する。端末情報管理手段の一例である端末情報管理部１０５は、端末情報を管理する。変換手段の一例とである変換部１０６は、表示装置１０１へ表示された画像と同等のものを情報端末２００へ表示させるために端末情報に応じて、画面を変換する。端末画面表示手段の一例である端末画面表示部１０７は、情報端末へ画面を表示させる。ネットワークインタフェース部１０８は、複数の情報端末２００との通信を制御する。
【００１３】
図２は、本発明の実施形態に係る画像処理装置へ接続される情報端末の構成を示すブロック図である。情報端末２００は、表示装置２０１と、制御部２０２と、記憶部２０３と、ネットワークインタフェース部２０４と、入力部２０５と、を有している。表示装置２０１には、共有画面を操作するための画面が表示される。制御部２０２は、情報端末２００の各部の制御を行う。記憶部２０３は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等である。ネットワークインタフェース部２０４は、画像処理装置１２０との通信を制御する。入力部２０５は、マウス、タブレット、タッチパネル、キーボード等である。
【００１４】
図３は、本実施形態における記憶部に記憶される端末情報テーブルの一例を示す図である。格納される情報としては、情報端末を識別する端末識別子（機器情報）、情報端末の使用者を示す使用者識別子（ＩＤ）、情報端末の表示装置の解像度、情報端末がキーボードやタブレットの入力手段を有しているかを示すフラグ、現在接続中かを示すフラグ等である。図３において使用者ＩＤが同じ場合は、同一使用者が異なる情報端末を同時に利用している場合である。これらの端末情報は予めテーブルとして記憶部１０４やネットワークストレージ等に登録し保存してもよいし、情報端末の接続時に情報端末側から端末情報を送信してもよい。
【００１５】
図４及び図５は、本発明の実施形態に係る表示装置及び情報端末の画面表示の一例を示した図である。図４において、４００は画像処理装置１２０の表示装置であり、共有画面４０１が表示されている。４０２は、情報端末Ａ（第一の情報端末）の表示装置である。４０３は、情報端末Ｂ（第二の情報端末）の表示装置である。情報端末Ａ及び情報端末Ｂの表示装置中の領域４０４及び領域４０５に共有画面４０１を操作するための画面が表示されている。ここでは領域４０４及び４０５には共有画面４０１と同じ画像を縮小表示し、ポインティングデバイス等で座標を指定し共有画面４０１を操作するものとする。なお、同じ画像でなくとも共有画面４０１を操作可能な画面表示であれば、例えば共有画面を操作可能なボタン類を配置した画面構成でもよい。
【００１６】
図５は、図４の画面構成状態から同一ユーザの情報端末が複数台になった場合の画面構成を示す図である。図５は、表示装置４０２を有する情報端末Ａと、表示装置５０１を有する情報端末Ｃが同一ユーザで共有画面を表示している。情報端末Ａでは共有画面４０１を分割した領域Ａが情報端末上の領域５０３に表示されている。情報端末Ｃでは領域Ａ´が情報端末上の領域５０４に表示されている。
【００１７】
図７及び図８は、本発明の実施形態に係る情報端末へ画面を表示する処理手順を示すフローチャートである。まず、ステップＳ７０１にて画像処理装置１２０の端末情報管理部１０５は、端末情報テーブルの初期化等の初期処理を行う。
次に、ステップＳ７０２にて、制御部１０３は、情報端末２００から画像処理装置１２０を操作するための接続要求がある場合には、ステップＳ７０５へ進む。接続要求がない場合は、ステップＳ７０３に進む。
ステップＳ７０３において、制御部１０３は、情報端末２００から画像配信要求がある場合は、ステップＳ７０５へ進む。
【００１８】
ステップＳ７０５において、制御部１０３は、要求元の情報端末２００と情報端末利用者とを特定する。すなわち、制御部１０３は、情報端末２００から端末情報を取得する。情報端末の特定方法はＩＰアドレスやＭＡＣアドレス、利用機器名等で情報端末２００を特定する方法がある。また、利用者の特定方法は、接続時に情報端末２００に画像処理装置１２０へのログインという形で利用者アカウント等を要求する方法や予め端末情報テーブルを作成しておき情報端末を特定してから利用者アカウントを求める方法等がある。
【００１９】
次に、ステップＳ７０６にて、端末情報管理部１０５は、図３に示す端末情報テーブルを参照し、要求している情報端末と同一利用者の接続済み情報端末が存在するかどうかを判定する。情報端末ＡでアカウントとしてＩＤ０００１で接続済みのときに、情報端末ＣでアカウントＩＤ０００１で接続しようとする場合、端末情報テーブルの使用者ＩＤ列にＩＤ０００１の利用者が既にあるため、同一利用者の情報端末が存在すると判定される。また、端末情報テーブル作成時に利用者ＩＤグループを作成し、利用者ＩＤが異なる利用者でも同一利用者と判断させるようにしてもよい。
【００２０】
ステップＳ７０７において、変換部１０６は、配信画像変換処理を行い、情報端末に表示する画面を作成する。次に、ステップＳ７０８において、端末画面表示部１０７は、情報端末へ画面を表示させる。
次に、ステップＳ７０９において、端末情報管理部１０５は、端末情報テーブルを更新する。
また、ステップＳ７０４において、制御部１０３は、切断要求があると判定された場合、ステップＳ７１０において、制御部１０３は、切断要求元の情報端末の接続を切断する。
次に、ステップＳ７１１において、端末情報管理部１０５は、切断要求された情報端末の利用者ＩＤで接続している情報端末がまだあるかどうかを端末情報テーブルから判定する。情報端末が存在する場合はステップＳ７１２へ進む。
【００２１】
ステップＳ７１２において、端末情報管理部１０５は、２台以上の同一利用者の情報端末が接続されているかを判定する。２台以上存在する場合はステップＳ７０７の処理へ進む。１台のみの場合はステップＳ７０８へ進む。
【００２２】
図８は、図７のフローチャートにおけるステップＳ７０７の配信画像変換処理を示すフローチャートを示す図である。
ステップＳ８０１にて端末画面表示部１０７は、情報端末へ表示する画像を取得する。図４ではＡの領域となる。
ステップＳ８０２にて、変換部１０６は、フォーマットが既にあり、情報端末がフォーマット適用条件に当てはまるかどうかを判定し、当てはまればステップＳ８０３に進む。ステップＳ８０３において、変換部１０６は、画像をフォーマット画面へ変換する。なお、本実施形態では、フォーマットを用いていないので、ステップＳ８０４へ進む。ステップＳ８０４では、変換部１０６は、情報端末の表示装置２０１の解像度に基づき配信画像データの変換処理を行う。
【００２３】
図５では、情報端末Ａと情報端末Ｃとの解像度に応じて共有画面４０１を分割し、情報端末Ａには、共有画面４０１の左半分の領域Ａを、情報端末Ｃには共有画面４０１の右半分の領域Ａ´をそれぞれ表示させるように情報端末へ配信する画面を変換する。次に、図７のステップＳ７０８の表示処理へ進む。
このように第１の実施形態によれば、情報端末の表示画面を有効利用することができる。
【００２４】
（第２の実施形態）
図６は、第２の実施形態に係る表示装置及び情報端末の画面表示の一例を示した図である。なお、その構成は、図１及び図２に示した構成と同様である。ただし、記憶部１０４には端末情報テーブルの他に操作画面フォーマットテーブルが記憶されている。
【００２５】
図６において６０１は表示装置であり、共有画面６０２が表示されている。共有画面６０２には描画ソフトウエアが起動されており、描画領域６０８と、描画領域へ書き込む描画ツールを選択する描画ツール６０３とが、表示されている。６０４は、情報端末Ｂの表示装置である。６０６は、情報端末Ｄの表示装置である。情報端末Ｂの表示装置６０４中の領域６０５及び情報端末Ｄの表示装置６０６中の領域６０７には、共有画面６０２を操作するための画面が表示されている。
【００２６】
図９は、第２の実施形態に係る記憶部１０４に記憶される操作画面フォーマットテーブルの一例を示す図である。格納される情報としては、情報端末で利用可能な機器及び情報端末の表示装置の解像度に応じた、すなわち、表示能力に応じた操作画面フォーマットが記憶されている。
第２の実施形態において図７及び図８のフローチャートを用いる。また、表示装置６０４を有する情報端末Ｂが、画像処理装置１２０と接続中に情報端末Ｂと同一の使用者ＩＤ０００２が情報端末Ｄを使用し画像処理装置１２０へ接続する場合について説明する。
【００２７】
図７のフローチャートにおいて、ステップＳ７０１からステップＳ７０６までは第１の実施形態と同様の処理が行われる。次に、ステップＳ７０７にて図８の配信画像変換処理のサブルーチンへ進む。
図８で示すステップＳ８０１において、端末画面表示部１０７は、情報端末への配信用画面を取得する。
次に、ステップＳ８０２において、端末情報管理部１０５は、図３の端末情報テーブル及び図９の操作画面フォーマットテーブルを参照し、情報端末へ表示する操作画面を決定する。
図３の端末情報テーブルにおいて、情報端末Ｂは解像度が８００×６００以上であり、接続デバイスとしてキーボードが利用可、タブレットが利用不可であるため、図９の操作画面フォーマットテーブルにより操作画面フォーマットは全画面領域が選択される。同様に、情報端末Ｄは解像度が８００×６００Ｐｉｘｅｌ未満であり、接続デバイスとしてキーボートが利用不可、タブレットが利用かであるため、図９の操作画面ファーマットテーブルにより操作画面フォーマットは描画ツールが選択される。
【００２８】
図８のサブルーチン処理を終え、図７のステップＳ７０８へ戻り、端末画面表示部１０７は、接続端末へ変換済み画面を表示させる。
図６では、情報端末Ｂ上の領域Ｂに共有画面と同等の全画面領域を拡大縮小等し表示され、情報端末Ｄでは表示装置６０６上に共有画面を操作するための描画ツールのみが表示される。次に、ステップＳ７０９にて端末情報管理部１０５は、端末情報テーブルを更新する。
【００２９】
第２の実施形態によれば、共有画面操作に最適な画面構成を情報端末毎に割り当てることができ、また共有画面をより大きく情報端末へ表示できるため情報端末の表示画面を及び情報端末特有の入力デバイスを有効利用することができる。
【００３０】
なお、上述した実施形態では、表示装置１０１は液晶プロジェクタであっても大画面の液晶パネルやＰＤＰ（Ｐｌａｓｍａ  Ｄｉｓｐｌａｙ  Ｐａｎｅｌ）であってもよい。また、表示装置１０１と画像処理装置１２０は別体としたが、表示装置１０１と画像処理装置１２０とが一体であってもよい。また、上述した情報端末２００は、液晶パネル等で構成された比較的小さな端末ディスプレイを備えるＰＤＡとしたが、ノートパソコンやデスクトップパソコンであってもよい。
【００３１】
また、情報端末２００はネットワーク１３０を介して有線通信により画像処理装置１２０に接続されているが、無線通信により接続されていてもよい。この無線通信は、赤外線通信やＢｌｕｅｔｏｏｔｈ等の各種方式を含むことはいうまでもない。
【００３２】
上述した記憶部１０４は、ハードディスク等の記憶装置であってもよく、表示制御部１０２、端末情報管理部１０５、変換部１０６、端末画面表示部１０７は周辺機器や拡張カードからなるが、デバイスドライバ等のソフトウエアであってもよい。
【００３３】
本発明は、上述した実施の形態の機能を実現するソフトウエアのプログラムを、コンピュータ又はＣＰＵに供給し、そのコンピュータ又はＣＰＵが該供給されたプログラムを読み出して実行することによっても本発明の目的が達成されることは云うまでもない。
【００３４】
この場合、上記プログラムは、該プログラムを記録した記憶媒体から直接、又はインターネット、商用ネットワーク、若しくはローカルエリアネットワーク等に接続される不図示の他のコンピュータやデータベース等からダウンロードすることにより供給される。
【００３５】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を備えるものでもよい。
【００３６】
上述した実施の形態の機能を実現するソフトウエアのプログラムを記録した記憶媒体をコンピュータに供給し、そのコンピュータ又はＣＰＵが記憶媒体に格納されたプログラムを読み出し実行することによっても、本発明の目的が達成される。
上述した実施の形態では、プログラムはＲＯＭに格納されているが、これに限定する必要はない。プログラムを供給するコンピュータ読取可能な記録媒体としては、例えば、ＲＡＭ、ＮＶ−ＲＡＭ、フロッピーディスク、ハードディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−Ｒ）、磁気テープ、不揮発性のメモリカード、ＲＯＭ等の上記プログラムを記憶できるものであればよい。
【図面の簡単な説明】
【００３７】
【図１】画像処理装置を含む会議システムの全体構成を示すブロック図である。
【図２】画像処理装置へ接続される情報端末の構成を示すブロック図である。
【図３】記憶部に記憶される端末情報テーブルの一例を示す図である。
【図４】第１の実施形態に係る表示装置及び情報端末の画面表示の一例を示した図である。
【図５】同一のユーザの情報端末が複数になった場合の画面表示の一例を示した図である。
【図６】第２の実施形態に係る表示装置及び情報端末の画面表示の一例を示した図である。
【図７】情報端末へ画面を表示する処理のフローチャートを示す図である。
【図８】配信画像変換処理のフローチャートを示す図である。
【図９】第２の実施形態に係る記憶部に記憶される操作画面フォーマットテーブルの一例を示す図である。
【符号の説明】
【００３８】
１０１    表示装置
１０２    表示制御部
１０３    制御部
１０４    記憶部
１０５    端末情報管理部
１０６    変換部
１０７    端末画面表示部
１０８    ネットワークインタフェース部
１２０    画像処理装置
１３０    ネットワーク
２００    情報端末
２０１    表示装置
２０２    制御部
２０３    記憶部
２０４    ネットワークインタフェース部
２０５    入力部
４００    表示装置
４０１    共有画面
４０２    表示装置
４０３    表示装置
４０４    共有画面を操作するための画面
４０５    共有画面を操作するための画面
５０１    表示装置
５０３    共有画面操作領域
５０４    共有画面操作領域
６０１    表示装置
６０２    共有画面
６０３    描画ツール表示領域
６０４    表示装置
６０５    共有画面操作領域
６０６    表示装置
６０７    共有画面操作領域
６０８    描画領域
【図１】
2008310443.tif 000003
【図２】
2008310443.tif 000004
【図３】
2008310443.tif 000005
【図４】
2008310443.tif 000006
【図５】
2008310443.tif 000007
【図６】
2008310443.tif 000008
【図７】
2008310443.tif 000009
【図８】
2008310443.tif 000010
【図９】
2008310443.tif 000011